(57)【要約】【課題】本発明は、農作業機に取り付けて使用される白ネギ用培土器であって、白ネギの土寄せ作業を行いやすい白ネギ用培土器を提供、また、白ネギ栽培における土寄せ作業に適した農作業機を提供することを目的とする。【解決手段】耕耘用のロータリー１０３を備える農作業機１００に取り付けて使用される白ネギ用培土器１は、土を寄せる左右一対の培土部１０と、培土部がそれぞれ保持される左右一対の保持部２０と、保持部が固定される本体部３０と、本体部を農作業機１００に取り付ける取付部４０と、保持部が昇降可能となる昇降機構５０と、を備えることを特徴とする。【選択図】図１
2020129990.tif 000002
【特許請求の範囲】
【請求項１】
耕耘用のロータリーを備える農作業機に取り付けて使用される白ネギ用培土器であって、
耕耘された土を寄せる左右一対の培土部と、
前記培土部がそれぞれ保持される左右一対の保持部と、
前記保持部が固定される本体部と、
前記本体部を前記農作業機に取り付ける取付部と、
前記保持部が昇降可能となる昇降機構と、
を備えることを特徴とする白ネギ用培土器。
【請求項２】
前記昇降機構は、
左右一対の前記保持部のそれぞれに設けられていることを特徴とする請求項１に記載の白ネギ用培土器。
【請求項３】
左右一対の前記保持部には、前記保持部の固定位置を変える位置調整機構がそれぞれに設けられていることを特徴とする請求項１に記載の白ネギ用培土器。
【請求項４】
白ネギ栽培における土寄せ作業で使用される農作業機であって、
耕耘用のロータリーと、
耕耘された土を寄せる左右一対の培土部と、
前記培土部がそれぞれ保持される左右一対の保持部と、
前記保持部が固定される本体部と、
前記保持部が昇降可能となる昇降機構と、
を備えることを特徴とする農作業機。
【発明の詳細な説明】
【技術分野】
【０００１】
本発明は、主に白ネギ栽培における土寄せ作業で用いる白ネギ用培土器及び農作業機であり、より具体的には耕耘用のロータリーを備える農作業機に取り付けて使用される白ネギ用培土器及び農作業機に関する。
【背景技術】
【０００２】
白ネギの栽培における重要な作業として所謂「土寄せ」がある。この土寄せ作業は、生育段階にあわせて、白ネギの株元に土を寄せていく作業である。この作業は、通常４、５回行われており、一般的には管理機を使って行われており、管理機のロータリーによって土を耕耘して、その土を株元に寄せて行われる。
【０００３】
一方で、このような管理機を使った土寄せ作業は、白ネギの株元への土寄せが不十分であったり、寄せた土が崩れやすかったり、というような問題もあることから、特許文献１や非特許文献１に記載されている白ネギの土寄せ専用に製造された農作業機も知られている。このような専用の農作業機は、当然ながら高価となり、また、他の農作業で活用し難いという問題もある。
【０００４】
そこで、白ネギの土寄せに用いる白ネギ用培土器を用い、この白ネギ用培土器を管理機に取り付けて使用することが考えられる。このように白ネギ用培土器を取り付けた管理機であれば、まず管理機のロータリーで土を耕耘し、この耕耘した土を白ネギ用培土器で白ネギの株元に寄せることができるため、管理機だけの土寄せによる問題も生じ難く、また、不要なときには白ネギ用培土器を取り外して管理機を使用することができる。
【先行技術文献】
【特許文献】
【０００５】
【特許文献１】特許第５０３１３６０号
【非特許文献】
【０００６】
【非特許文献１】カントウ農機株式会社、ねぎパンチャー、［平成３１年２月１０日検索］、インターネット〈URL：https://www.kantonoki.com/product/k652np/〉
【発明の概要】
【発明が解決しようとする課題】
【０００７】
このような理由から、本発明者は、管理機に取り付けて用いる白ネギ用培土器を試作し、実際に使用してみたところ、次のような課題が生じた。
【０００８】
それは、白ネギの土寄せ作業は複数回行われることから、土寄せ作業を行う度に畝と畝との間（作業通路）が深くなっていき、畝高が高くなっていく。従って、管理機の後ろに白ネギ用培土器を取り付けて使用してみると、畝の端まで土寄せ作業を終えて次の作業通路に移ろうとする際、白ネギ用培土器が、作業通路や畝の法面と接してしまい、管理機の移動動作や旋回動作の邪魔になってしまった。
【０００９】
つまり、畝の端まで来ると、作業を終えた深い作業通路から浅い作業通路にいったん出ることになるが、この時に管理機は傾き、管理機側（先端側）が上に持ち上がり、白ネギ用培土器（後端側）が下に下がってしまうため、白ネギ用培土器が管理機の移動の邪魔になってしまう。その際、管理機のハンドルを持上げて、白ネギ用培土器側ごと上に持上げ、管理機を移動させることも考えられるが、このような作業を何度も行うことは、力の弱い作業者や、高齢化が進む農家にとっては現実的なことではなく、また安全面においても問題である。
【００１０】
また、管理機の後ろに白ネギ用培土器を取り付けることから、管理機のハンドルを握って作業する作業者にとって、できるだけ邪魔にならない白ネギ用培土器が望まれる。
【００１１】
そこで、管理機のような農作業機に取り付けて使用される白ネギ用培土器であって、白ネギの土寄せ作業を行いやすい白ネギ用培土器を提供することを目的とする。また、白ネギ栽培における土寄せ作業に適した農作業機を提供することを目的とする。
【課題を解決するための手段】
【００１２】
本発明の白ネギ用培土器は、耕耘用のロータリーを備える農作業機に取り付けて使用される白ネギ用培土器であって、耕耘された土を寄せる左右一対の培土部と、前記培土部がそれぞれ保持される左右一対の保持部と、前記保持部が固定される本体部と、前記本体部を前記農作業機に取り付ける取付部と、前記保持部が昇降可能となる昇降機構と、を備えることを特徴とする。
【００１３】
このような本発明の白ネギ用培土器は、農作業機に取り付けて土寄せ作業を行った際、畝の端まで土寄せ作業を行って次の畝に移る時に、培土部が保持された保持部を上昇させて農作業機を移動させることができるため、農作業機の移動を楽に行うことができる。とくに土寄せ作業の回数が増えてくると、作業通路が深くなるので、畝の端の位置から浅い作業通路に農作業機を移動させる際に後方が大きく傾斜し、白ネギ用培土器が邪魔になってしまう。しかしながら、本発明によれば、保持部を上昇させることができ、白ネギ用培土器が農作業機の移動の邪魔にならなくなる。
【００１４】
また、白ネギ用培土器は、前記昇降機構が、左右一対の前記保持部のそれぞれに設けられていることが好ましい。
このような構成により白ネギ用培土器は、片側だけ保持部を上昇させることもできるので、活用方法のバリエーションが増える。また、それぞれに昇降機構を設けておくことで、昇降機構の構造を小型化できるため、左右の保持部の間に作業空間を確保でき、作業者にとって土寄せ作業や昇降作業がし易くなる。
【００１５】
また、白ネギ用培土器は、左右一対の前記保持部には、前記保持部の固定位置を変える位置調整機構がそれぞれに設けられていることが好ましい。
土寄せ作業において、畝の適切な位置に培土部を位置させることが非常に重要であり、保持部ごと固定位置を変えることができるので、簡単に位置調整することができる。特に、培土部が複数の培土ローラや培土板で構成されているような場合に、培土ローラごとや培土板ごとに位置調整を行うと非常に手間がかかるが、保持部ごと位置調整できることで非常に調整作業が容易になる。
【００１６】
また、本発明の農作業機は、白ネギ栽培における土寄せ作業で使用される農作業機であって、耕耘用のロータリーと、耕耘された土を寄せる左右一対の培土部と、前記培土部がそれぞれ保持される左右一対の保持部と、前記保持部が固定される本体部と、前記保持部が昇降可能となる昇降機構と、を備えることを特徴とする。
【００１７】
このような本発明の農作業機は、畝の端まで土寄せ作業を行って次の畝に移る時に、培土部が保持された保持部を上昇させて農作業機を移動させることができるため、農作業機の移動を楽に行うことができる。
【図面の簡単な説明】
【００１８】
【図１】（Ａ）は本実施形態に係る白ネギ用培土器が取り付けられた農作業機の後方側からの斜視図であり、（Ｂ）はこの農作業機の右側側面図である。
【図２】（Ａ）は本実施形態に係る白ネギ用培土器の後方側からの斜視図であり、（Ｂ）はこの白ネギ用培土器の動作状態を示す図である。
【図３】（Ａ）は図２（Ｂ）の一点鎖線で示したIIIAの拡大図であり、（Ｂ）は、図２（Ｂ）の一点鎖線で示したIIIBの拡大図である。
【図４】（Ａ）は試作品を用いた保持部の下降状態を示す写真であり、（Ｂ）は保持部の上昇状態を示す写真である。
【発明を実施するための形態】
【００１９】
以下、実施形態及び図面を参照にして本発明を実施するための形態を説明するが、以下に示す実施形態は、本発明をここに記載したものに限定することを意図するものではなく、本発明は特許請求の範囲に示した技術思想を逸脱することなく種々の変更を行ったものにも均しく適用し得るものである。なお、この明細書における説明のために用いられた各図面においては、各部材を図面上で認識可能な程度の大きさとするため、各部材毎に縮尺を異ならせて表示しており、必ずしも実際の寸法に比例して表示されているものではない。
【００２０】
図１（Ａ）は、本実施形態における白ネギ用培土器１が取り付けられた農作業機１００の後方側からの斜視図であり、図１（Ｂ）は、この農作業機１００の右側面図である。また、図２（Ａ）は、白ネギ用培土器１の後方側からの斜視図であり、図２（Ｂ）は、白ネギ用培土器１の動作状態を示す図である。
【００２１】
この農作業機１００は、白ネギ栽培における土寄せ作業で使用されるものであり、畝と畝との間の作業通路を走行し、作業通路や畝の法面の土を耕して、その土を白ネギ用培土器１で畝に植えられている白ネギの株元に寄せる作業を行う。なお、この農作業機１００は、図１の矢印Ａを進行方向として進む。
【００２２】
白ネギ用培土器１が後方に取り付けられた農作業機１００は、具体的には管理機や耕耘機と呼ばれるようなものである。この農作業機１００は、市販のものであり、各メーカーから様々なものが販売されており、図１において示す農作業機１００は概念的に示している。そして、農作業機１００は、動力部１０１、ハンドル部１０２、ロータリー１０３、カバー部１０４、車輪１０５を主な構成としている。この内、ロータリー１０３によって作業通路の土や畝の法面の土が耕耘される。
【００２３】
白根ネギ用培土器１は、農作業機１００のロータリー１０３で耕耘された土を白ネギの株元に寄せる左右一対の培土部１０Ｌ、１０Ｒと、培土部１０Ｌ、１０Ｒがそれぞれ保持される左右一対の保持部２０Ｌ、２０Ｒと、保持部２０Ｌ、２０Ｒが固定される本体部３０と、本体部３０を農作業機１００に取り付ける取付部４０と、保持部２０Ｌ、２０Ｒのそれぞれに設けられこの保持部２０Ｌ、２０Ｒを昇降させる昇降機構５０Ｌ、５０Ｒと、からなる。
【００２４】
培土部１０Ｌは、進行方向に対して左側の畝の土寄せを行う。培土部１０Ｌは、縦方向の回転軸で軸支された二つのローラ状の培土ローラ１１、１２と、板状の培土板１３からなる。培土ローラ１１、１２は、自由回転できるようになっており、ロータリー１０３で耕耘された土を回転しながら白ネギの株元に段階的に寄せていく。培土板１３は、培土ローラ１１、１２で寄せられた土を押し固めるためのものである。
【００２５】
このように培土部１０Ｌは、ローラ状の培土ローラ１１、１２によって土寄せを行うことで、土からの抵抗が小さくなり、農作業機１００の小さな動力でも土寄せを行うことができる。また、培土部１０Ｌは、培土ローラ１１、１２の後方に培土板１３を備えることで、寄せた土をしっかりと押し固めることができる。
【００２６】
なお、培土部１０Ｌの構成については、培土ローラ１１、１２と培土板１３に限定されるものではなく、例えば、培土ローラを１つにしたり、３つ用いたり、培土板を除いたり等、他の構成を採用することも可能である。
【００２７】
培土部１０Ｒは、進行方向に対して右側の畝の土寄せを行うが、培土部１０Ｌと同様の構成であることから、その説明を省略する。また、培土部１０Ｌと培土部１０Ｒの構成について区別して説明する場合以外は、符号のＬ、Ｒは図示を含め適宜省略する。
【００２８】
保持部２０Ｌは、左側の培土部１０Ｌを保持するものである。図２（Ａ）に示すように保持部２０Ｌは、筒状のスライド部２１と、スライド部２１の上面に取り付けられた角柱状の支持部２２と、スライド部２１の上面に取り付けられ、支持部２２が畝の法面側から受ける力に対して支持部２２を畝の法面側へ付勢する弾性部２３と、培土部１０Ｒの培土ローラ１１、１２、培土板１３を固定する３つの固定部２４からなる。
【００２９】
スライド部２１は、後述する本体部３０を構成する可動シャーシ３２に嵌入され、可動シャーシ３２に対してスライド可能となっている。そして、スライド部２１と、可動シャーシ３２の側面には複数の固定孔が設けられており、この固定孔同士の位置を合わせて固定具を挿入することで、保持部２０Ｌは、本体部３０に対する位置を調整できるようになっている。
支持部２２は、主に角状のパイプから構成されており、スライド部２１側の端部は支持部２２が回動動作できるよう軸支２２ａされて構成されている。
【００３０】
弾性部２３は、圧縮バネ２３ａを用いてスライド部２１と支持部２２とに固定されている。この弾性部２３によって、白ネギ用培土器１は、土寄せ作業中の畝と畝との間の変化に対しても対応できるようなっている。また、弾性部２３のスライド部２１側は、圧縮バネ２３ａを収容するケース２３ｂがスライド部２１に対して回動動作できるように軸支２３ｃされている。
【００３１】
３つの固定部２４は、支持部２２に嵌入される筒状の進行方向嵌入部２４ａと、嵌入部２４ｂに溶接固定された筒状の畝方向嵌入部２４ｂと、畝方向嵌入部２４ｂに嵌入される固定用パイプ２４ｃからなり、固定用パイプ２４ｃの先端には、培土部１０Ｌの培土ローラ１１、１２、培土部１３がそれぞれ固定される。そして、固定部２４をこのように構成することで、培土部１０Ｌの培土ローラ１１、１２、培土器１３の進行方向Ａにおける前後の位置及び進行方向Ａと直交する畝方向の位置をそれぞれ微調整できるようになっている。
【００３２】
つまり、図２（Ａ）に示すように、進行方向挿入部２４ａの側面と支持部２２の側面には複数の固定孔が設けられており、この固定孔同士の位置を合わせて固定具を挿入することで、固定部２４の進行方向Ａにおける位置を調整できるようになっている。また、畝方向挿入部２４ｂの側面と固定用パイプ２４ｃの側面にも複数の固定孔が設けられており、この固定孔同士の位置を合わせて固定具を挿入することで、固定部２４の畝方向における位置を調整できるようになっている。
【００３３】
保持部２０Ｒは、右側の培土部１０Ｒを保持するものであるが、保持部２０Ｌと同様の構成であることから、その説明を省略する。また、保持部２０Ｌと２０Ｒの構成について区別して説明する場合以外は、符号のＬ、Ｒは図示を含め適宜省略する。
【００３４】
本体部３０は、保持部２０Ｌ、２０Ｒを固定するとともに、固定された保持部２０Ｌ、２０Ｒの畝高さ方向の位置を調整するためのものである。具体的には、本体部３０は、シャーシ３１と、可動シャーシ３２と、可動シャーシ３２を上下させるための調整ハンドル３３で構成されている。調整ハンドル３３は把手３３ａとシャフト３３ｂからなる。そして、このシャフト３３ｂは、シャーシ３１に回転自在に軸支され、また表面に雄ネジが形成されており、可動シャーシ３２の中央に形成された雌ネジ３２ａと係合している。また、可動シャーシ３２の左右から下方に伸びる一対のシャフト３２ｂがシャーシ３１の一対の挿入孔３１ａに挿入される。このように構成し、調整ハンドル３３を回転させることで可動シャーシ３２が上下方向に移動し、可動シャーシ３２に固定された保持部２０Ｌ、２０Ｒもその移動にあわせて高方向の位置を調整できるようになっている。
【００３５】
取付部４０は、白ネギ用培土器１を農作業機１００に取り付ける部品である。取付部４０は、本体部３０側の培土側固定部４１と、農作業機１００側の作業機側固定部４２とで構成されている。作業機側固定部４２での農作業機１００との固定は、例えば、農作業機１００のエンジンマウントにボルトで固定したり、農作業機１００に係合部を溶接し係合部にボルトで固定したりする等、様々な方法を用いることができる。
【００３６】
また、培土側固定部４１は、本体部３０と着脱可能な構成が好ましい。様々な農作業機１００が市販されていることから、メーカー毎や機種ごとにその形状特有の作業機側固定部３２を製造し、培土側固定部４１は共通仕様としておけば、農作業機１００に適合する取付部４０に交換して白ネギ用培土器１を使用することができる。
【００３７】
このような構成からなる白ネギ用培土器１は、更に、保持部２０Ｌ、２０Ｒを昇降させる昇降機構５０を備えている。具体的には、昇降機構５０は、保持部２０Ｌ、２０Ｒをそれぞれ独立に昇降動作できる昇降機構５０Ｌ、５０Ｒで構成されている。そして、昇降機構５０Ｌ、５０Ｒによって、白ネギ用培土器１は、図２（Ｂ）に示すように、保持部２０Ｌ、２０Ｒをそれぞれ昇降させることが可能となっている。
【００３８】
なお、図２（Ｂ）は昇降状態をわかり易く示すため、保持部２０Ｒの培土部１０Ｒを消して示しており、また、保持部２０Ｒ側の上昇状態を示すとともに、保持部２０Ｒの支持部２２については下降状態もあわせて示している。
【００３９】
また、保持部２０Ｌ、２０Ｒにそれぞれ設けられた昇降機構５０Ｌ、５０Ｒについては、同じ構成であることから、区別して説明する場合以外は、符号のＬ、Ｒは適宜省略する。
【００４０】
図３（Ａ）は、図２（Ｂ）の一点鎖線で示したIIIAの拡大図であり、図３（Ｂ）は、図２（Ｂ）の一点鎖線で示したIIIBの拡大図である。図２、３に示すように、昇降機構５０は、保持部２０の弾性部２３を構成するケース２３ｂの下に配置され、保持部２０を上方向に押し上げるように付勢する付勢部５１と、付勢部５１による力に対抗し保持部２０の位置を固定しておく静止部５２と、で構成されている。
【００４１】
付勢部５１は、ケース２３ｂの下方に嵌合する凹状の回動部材５１ａが軸支５１ｂと捩じりコイルバネ５１ｃにより、図３（Ａ）の状態から図３（Ｂ）の状態へ回動するようになって構成されている。
【００４２】
静止部５２は、支持部２２の側面に固定された２つのフック部５２ａ、５２ｂと、スライド部２１の下面から下方に伸びるシャフト２１ａに固定されたフック部５２ｃと、フック部５２ｃを介して、フック部５２ａ、５２ｂとの間をつなぐワイヤ５２ｄで構成されている。
【００４３】
そして、ワイヤ５２ｂがフック部５２ａに係合している時には、付勢部５１の力に反して、保持部２０は下降状態のまま図３（Ａ）の状態で固定される。一方、ワイヤ５２ｂがフック部５２ａから外された時には、回動部材５１ａが図３（Ｂ）の状態になり、保持部２０は、支持部２２の軸支部２２ａ、弾性部２３の軸支部２３ｃから回動し、上昇することになる。
【００４４】
なお、本実施形態においては、図３（Ｂ）に示すようにケース２３ｂの下面にボルトの頭部からなる突起部５３が設けられている。そして、この突起部５３は、昇降機構５０におけるストッパ部を構成している。この突起部５３により、回動部材５１ａの回動が一旦止まる。そして、作業者が保持部２０を上方向に持ち上げることで、回動部材５１ａが突起部５３を越えて、図３（Ｂ）の状態となる。
【００４５】
このように昇降機構５０にストッパ部である突起部５３が設けられていない場合、ワイヤ５２ｂがフック部５２ａから外されると、保持部２０がいきなり図３（Ｂ）に示す状態となる。その際、作業者は農作業機１００のハンドル部１０２を握って土寄せ作業をしていることから、白ネギ用培土器１の使用に慣れていない作業者は、保持部２０が上昇する動作に驚いたり、恐怖を感じたりする心配がある。そこで、本実施形態のように昇降機構５０にストッパ部を設けておくことで、一旦自動での上昇が止まり、そこから作業者による持上げ動作によって上昇させることになるので、保持部２０の上昇による心配を抑えることができる。
【００４６】
そして、図３（Ｂ）に示す上昇した保持部２０を、図３（Ａ）に示す元の状態に戻す際には、保持部２０を少し持上げてから回動部材５１ａを元の位置に戻し、その後保持部２０お元の位置に戻して、ワイヤ５２ｂをフック部５２ａに係合させる。
【００４７】
なお、図４には本発明者が実際に試作した白ネギ用培土器１を示しており、図４（Ａ）は図３（Ａ）に対応する保持部２０の下降状態であり、図４（Ｂ）は図３（Ｂ）に対応する保持部２０の上昇状態である。
【００４８】
このように、本実施形態の白ネギ用培土器１は、保持部２０Ｌ、２０Ｒを昇降させる昇降機構５０を備えた構成となっている。従って、畝の端まで土寄せ作業を終えて次の作業通路に移ろうとする際、白ネギ用培土器１の保持部２０を上昇させることで、培土部１０の作業通路や畝の法面への接触を防ぐことができ、農作業機１００の移動動作や旋回動作を容易に行うことが可能となる。
【００４９】
また、本実施形態においては、保持部２０Ｌ、２０Ｒにそれぞれ昇降機構５０Ｌ、５０Ｒが設けられている。従って、左右それぞれの保持部を別々に昇降させることが可能となる。これにより、次の作業通路に移ろうとする際に、旋回側の保持部だけを上昇させ、旋回側とは反対側の保持部はそのままにして農作業機１００を移動させる、というような操作も可能となる。また、一番端の畝を作業する際に、土寄せが必要な側の保持部はそのままにして、土寄せが不要な側の保持部だけを上昇させて土寄せ作業を行うこともできる。このような操作方法のバリエーションは、条件や状態が異なる様々な耕作地がある中で耕作地に適した方法を採用することができことから好ましい。
【００５０】
また、昇降機構５０Ｌ、５０Ｒは、保持部２０Ｌ、２０Ｒの昇降に複雑な機構を必要としないことから、保持部２０Ｌと保持部２０Ｒの間が広く確保でき、その間に位置する作業者も歩行や昇降作業を行いやすい。
【００５１】
また、本実施形態においては、左右の保持部２０がそれぞれスライド部２１を備えている。この保持部２０におけるスライド部２１の構成は、保持部２０の固定位置を変える位置調整機構となり、保持部２０に保持される培土部１０ごと位置調整を行うことができる。畝幅は耕作地の条件（例えば、砂であるか黒土であるか等）や、その地域によって大きく異なる。従って、畝と畝との間も様々であることから、作業通路を移動する際に、畝方向における培土部１０の位置は非常に重要となる。
【００５２】
特に本実施形態のように、培土部１０に培土ローラ１１、１２を用いる場合、先頭側の培土ローラ１１が畝の法面の適切な位置になければ、培土ローラ１１が土を畝側ではなく、作業通路側に削り落としてしまう量が増えてしまう。また、場合によっては、自由回転する培土ローラ１１が内側（畝とは反対側）に回転してしまい、多くの土が作業通路側に削り落とされてしまうおそれもある。なお、土が作業通路側に削り落とされてしまうことを防止するため、培土ローラ１０の前方に培土板を更に配置しても構わない。
【００５３】
このように培土部１０の位置が非常に重要となる中で、本実施形態においては位置調整機構によって保持部２０ごと畝方向の位置を調整することができるので、固定部２４ごとでの位置調整に比べて、非常に簡単に培土部１０の位置を調整することが可能となる。
【００５４】
なお、本実施形態においては、保持部２０を昇降可能とする昇降機構５０が、左右の保持部２０ごとに設けられていたが、左右の保持部２０を一体として昇降可能とする昇降機構を採用することもできる。このような昇降機構は、左右の保持部２０を同時に昇降させることができるので、昇降作業を素早く行うことができる。
【００５５】
また、本実施形態においては、付勢部５１と静止部５２からなる昇降機構５０であったがこのような構成に限定されるものではない。例えば、昇降機構は、付勢部５１を用いないで、作業者の手動による昇降動作だけで機能するものでも構わない。また、昇降機構は、ギヤを用いるような構成でも構わない。
【００５６】
また、本実施形態においては、昇降機構５０は、保持部２０の弾性部２３を構成するケース２３ｂの下に配置されていたが、例えば、保持部２０が弾性部２３を備えていないような構成の場合、支持部２２の下に配置しても構わない。
【００５７】
また、本実施形態では、農作業機１００とは別体の白ネギ用培土器１は農作業機１００とは別体であった。そして、この白ネギ用培土器１を農作業機１００に取り付けて使用していたが、白ネギ栽培における土寄せ作業で使用する専用の農作業機としても実現することができる。このような白ネギ栽培における土寄せ作業で使用される農作業機の場合、農作業機は、耕耘用のロータリーと、耕耘された土を寄せる左右一対の培土部と、この培土部がそれぞれ保持される左右一対の保持部と、この保持部が固定される本体部と、保持部が昇降可能となる昇降機構と、を備える構成により実現することができる。従って、本実施形態のような白ネギ用培土器１の場合に必要となる取付部が不要となる。また、このような構成においては、保持部が固定される本体部は、農作業機本体となる。
【００５８】
また、本実施形態においては、農作業機１００のロータリー１０３で耕耘しながら白ネギ用培土器１で土寄せ作業を同時に行う使用方法で説明したが、まず、白ネギ用培土器１を取り付けない状態で農作業機１００のローラリー１０３による土寄せ作業を行い、次に、白ネギ用培土器１を農作業機１００に取り付けて、ロータリー１０３を駆動させない状態で土寄せ作業を行うような使用方法としても構わない。
【００５９】
また、本発明は、白ネギ用培土器や白ネギ栽培における土寄せ作業で使用される農作業機であることから、白ネギ栽培にける土寄せ作業での使用を想定したものではあるが、土寄せが必要な他の作物に使用しても構わない。
【符号の説明】
【００６０】
１：白ネギ用培土器
１０、１０Ｌ、１０Ｒ：培土部
１１、１２：培土ローラ
１３：培土板
２０、２０Ｌ、２０Ｒ：保持部
２１：スライド部
２２：支持部
２３：弾性部
２４：固定部
３０：本体部
３１：シャーシ
３２：可動シャーシ
３３：調整ハンドル
４０：取付部
５０、５０Ｌ、５０Ｒ：昇降機構
５１：付勢部
５１ａ：回動部材
５２：静止部
５３：突起部
１００：農作業機
１０１：動力部
１０２：ハンドル部
１０３：ロータリー
１０４：カバー部
１０５：車輪
【図１】
2020129990.tif 000003
【図２】
2020129990.tif 000004
【図３】
2020129990.tif 000005
【図４】
2020129990.tif 000006